(57)【要約】  【構成】  記録装置１０はＣＰＵ３４を含む。ＣＰＵ３４は、再エンコード（ＲＥ）ダビング処理の途中で放送記録開始命令が発行されたとき、ＲＥダビング処理を中断し、中断タイミングを特定できるタイミング情報をフラッシュメモリ３６に保持し、そして放送記録処理を開始する。この後、つまりＲＥダビング処理が中断された状態で放送記録停止命令が発行されたとき、ＣＰＵ３４は、フラッシュメモリ３６内に保持されたタイミング情報に基づいてＲＥダビング処理を再開する。  【効果】  再取得が可能なプログラムおよび再取得が不可能な別のプログラムの両方を適切に記録できる。【選択図】  図１
2006202357.tif 000002
【特許請求の範囲】
【請求項１】
再取得が不可能な第１コンテンツおよび再取得が可能な第２コンテンツの一方を選択する選択手段、
選択手段によって選択されたコンテンツを記録装置に入力する第１入力手段、
前記第１コンテンツを記録する第１記録モードの起動指令に応答して前記第１コンテンツの選択を前記選択手段に要求する第１要求手段、
前記第２コンテンツを記録する第２記録モードの起動指令に応答して前記第２コンテンツの選択を前記選択手段に要求する第２要求手段、
前記第２記録モードに従う処理の途中で前記第１記録モードの起動指令が発行されたとき前記第２記録モードに従う処理を中断する中断手段、
前記中断手段の中断タイミングを特定できるタイミング情報を作成する作成手段、および
前記第２記録モードに従う処理が前記中断手段によって中断された状態で前記第１記録モードの停止指令が発行されたとき前記作成手段によって作成されたタイミング情報に基づいて前記第２記録モードに従う処理を再開する再開手段を備える、コンテンツ処理装置。
【請求項２】
前記記録装置から出力された第２コンテンツを前記選択手段に入力する第２入力手段をさらに備える、請求項１記載のコンテンツ処理装置。
【請求項３】
前記記録装置は複数の記録媒体を含み、
前記第２記録モードは前記複数の記録媒体の１つから再生された第２コンテンツを前記複数の記録媒体の他の１つに記録するモードである、請求項２記載のコンテンツ処理装置。
【請求項４】
前記中断手段による中断および前記再開手段による再開に従って前記他の１つの記録媒体上に形成された複数のデータブロックにそれぞれ対応する複数の再生単位情報ブロックを生成する生成手段、および
前記生成手段によって生成された複数の再生単位情報ブロックのうち前記第２コンテンツに対応するものを互いに関連付ける関連付け手段をさらに備える、請求項３記載のコンテンツ処理装置。
【請求項５】
前記関連付け手段は、前記第２コンテンツに対応する再生単位情報ブロックを１つに結合する結合手段、および前記結合手段によって１つに結合された再生単位情報ブロックに１つの識別情報を割り当てる割り当て手段を含む、請求項４記載のコンテンツ処理装置。
【請求項６】
コンテンツ処理装置のプロセサによって実行される記録制御プログラムであって、
再取得が不可能な第１コンテンツおよび再取得が可能な第２コンテンツの一方を選択する選択ステップ、
選択ステップによって選択されたコンテンツを記録装置に入力する第１入力ステップ、
前記第１コンテンツを記録する第１記録モードの起動指令に応答して前記第１コンテンツの選択を前記選択ステップに要求する第１要求ステップ、
前記第２コンテンツを記録する第２記録モードの起動指令に応答して前記第２コンテンツの選択を前記選択ステップに要求する第２要求ステップ、
前記第２記録モードに従う処理の途中で前記第１記録モードの起動指令が発行されたとき前記第２記録モードに従う処理を中断する中断ステップ、
前記中断ステップの中断タイミングを特定できるタイミング情報を作成する作成ステップ、および
前記第２記録モードに従う処理が前記中断ステップによって中断された状態で前記第１記録モードの停止指令が発行されたとき前記作成ステップによって作成されたタイミング情報に基づいて前記第２記録モードに従う処理を再開する再開ステップを備える、記録制御プログラム。
【発明の詳細な説明】
【技術分野】
【０００１】
この発明は、コンテンツ処理装置に関し、特にたとえば、コンテンツをハードディスクからＤＶＤにダビングする、コンテンツ処理装置に関する。
【背景技術】
【０００２】
従来この種の装置としては、特許文献１に開示されたものが知られている。この従来技術は、チューナから出力されたビデオ信号をエンコードし、エンコードされたビデオ信号をハードディスクに記録する。複数のコンテンツがハードディスクに蓄積されると、所望のコンテンツをハードディスクからＤＶＤにダビングする。ＤＶＤの空き容量が不足していれば、ダビングは再エンコード方式で行われる。すなわち、ハードディスクから読み出されたビデオ信号をいったんデコードし、デコードされたビデオ信号を再びエンコードし、そして再エンコードされたビデオ信号をＤＶＤに記録する。再エンコードの際にビットレートを制御することによって、コンテンツを過不足なくＤＶＤに記録することができる。
【特許文献１】特開２００３−３０９８０６号公報〔Ｈ０４Ｎ ５／９１，Ｇ１１Ｂ ２０／１０，２０／１２〕
【発明の開示】
【発明が解決しようとする課題】
【０００３】
従来技術では、再エンコードダビング（以下“ＲＥダビング”）を実行する場合、転送されるビデオ信号にデコードおよび再エンコードを施すので、等倍の時間を要する上、ダビング中はコーデックが占有されて放送録画が行えない。従って、もしＲＥダビング中に録画したい放送プログラムがあれば、ＲＥダビングを中止し、そして放送録画を行うほかない。放送プログラムの再取得は不可能だからである。中止されたＲＥダビング処理は、放送録画が完了した後に最初からやり直さなければならない。信号がＤＶＤに適切に記録されていないからである。
【０００４】
それゆえに、この発明の主たる目的は、再取得が可能なコンテンツおよび再取得が不可能な別のコンテンツの両方を適切に記録できる、コンテンツ記録装置を提供することである。
【課題を解決するための手段】
【０００５】
請求項１の発明に従うコンテンツ処理装置は、再取得が不可能な第１コンテンツおよび再取得が可能な第２コンテンツの一方を選択する選択手段、選択手段によって選択されたコンテンツを記録装置に入力する第１入力手段、第１コンテンツを記録する第１記録モードの起動指令に応答して第１コンテンツの選択を選択手段に要求する第１要求手段、第２コンテンツを記録する第２記録モードの起動指令に応答して第２コンテンツの選択を選択手段に要求する第２要求手段、第２記録モードに従う処理の途中で第１記録モードの起動指令が発行されたとき第２記録モードに従う処理を中断する中断手段、中断手段の中断タイミングを特定できるタイミング情報を作成する作成手段、および第２記録モードに従う処理が中断手段によって中断された状態で第１記録モードの停止指令が発行されたとき作成手段によって作成されたタイミング情報に基づいて第２記録モードに従う処理を再開する再開手段を備える。
【０００６】
選択手段は、再取得が不可能な第１コンテンツおよび再取得が可能な第２コンテンツの一方を選択する。選択手段によって選択されたコンテンツは、第１入力手段によって記録装置に入力される。第１要求手段は、第１コンテンツを記録する第１記録モードの起動指令に応答して第１コンテンツの選択を選択手段に要求する。第２要求手段は、第２コンテンツを記録する第２記録モードの起動指令に応答して第２コンテンツの選択を選択手段に要求する。中断手段は、第２記録モードに従う処理の途中で第１記録モードの起動指令が発行されたとき第２モードに従う処理を中断する。作成手段は、かかる中断手段の中断タイミングを特定できるタイミング情報を作成する。再開手段は、第２記録モードに従う処理が中断手段によって中断された状態で第１記録モードの停止指令が発行されたとき、作成手段によって作成されたタイミング情報に基づいて第２記録モードに従う処理を再開する。
【０００７】
第２記録モードに従う処理の途中で第１記録モードの起動指令が発行されたとき第２モードに従う処理を中断し、中断タイミングを特定できるタイミング情報を保持し、そして第１記録モードの停止指令が発行されたときタイミング情報に基づいて第２記録モードに従う処理を再開するので、再取得が可能なコンテンツおよび再取得が不可能な別のコンテンツの両方を適切に記録できる。
【０００８】
請求項２の発明に従うコンテンツ処理装置は、請求項１に従属し、記録装置から出力された第２コンテンツを選択手段に入力する第２入力手段をさらに備える。
【０００９】
記録装置から出力された第２コンテンツは、第２入力手段によって選択手段に入力される。
【００１０】
請求項３の発明に従うコンテンツ処理装置は、請求項２に従属し、記録装置は複数の記録媒体を含み、第２記録モードは複数の記録媒体の１つから再生された第２コンテンツを複数の記録媒体の他の１つに記録するモードである。
【００１１】
第１コンテンツの記録処理の割り込みによって第２コンテンツのダビング処理が中断しても、記録処理の完了後にダビング処理が中断位置から再開されるので、処理時間が短縮される。
【００１２】
請求項４の発明に従うコンテンツ処理装置は、請求項３に従属し、中断手段による中断および再開手段による再開に従って他の１つの記録媒体上に形成された複数のデータブロックにそれぞれ対応する複数の再生単位情報ブロックを生成する生成手段、および生成手段によって生成された複数の再生単位情報ブロックのうち第２コンテンツに対応するものを互いに関連付ける関連付け手段をさらに備える。
【００１３】
中断手段による中断および再開手段による再開の結果、他の１つの記録媒体上には複数のデータブロックが形成される。生成手段は、かかる複数のデータブロックにそれぞれ対応する複数の再生単位情報ブロックを生成する。関連付け手段は、こうして生成された複数の再生単位情報ブロックのうち第２コンテンツに対応するものを互いに関連付ける。
【００１４】
第２コンテンツに対応する再生単位情報ブロックを互いに関連付けることによって、他の１つの記録媒体上に分断状態で記録された第２コンテンツを一体的に再生することができる。
【００１５】
請求項５の発明に従うコンテンツ処理装置は、請求項４に従属し、関連付け手段は、第２コンテンツに対応する再生単位情報ブロックを１つに結合する結合手段、および結合手段によって１つに結合された再生単位情報ブロックに１つの識別情報を割り当てる割り当て手段を含む。
【００１６】
結合手段が第２コンテンツに対応する再生単位情報ブロックを１つに結合し、割り当て手段は、こうして１つに結合された再生単位情報ブロックに１つの識別情報を割り当てる。かかる識別情報に向けて再生操作が行われると、１つに結合された再生単位情報ブロックに基づいて、他の１つの記録媒体上に分断状態で記録された第２コンテンツを一体的に再生することができる。
【００１７】
請求項６の発明に従う記録制御プログラムは、コンテンツ処理装置のプロセサによって実行される記録制御プログラムであって、再取得が不可能な第１コンテンツおよび再取得が可能な第２コンテンツの一方を選択する選択ステップ、選択ステップによって選択されたコンテンツを記録装置に入力する第１入力ステップ、第１コンテンツを記録する第１記録モードの起動指令に応答して第１コンテンツの選択を選択ステップに要求する第１要求ステップ、第２コンテンツを記録する第２記録モードの起動指令に応答して第２コンテンツの選択を選択ステップに要求する第２要求ステップ、第２記録モードに従う処理の途中で第１記録モードの起動指令が発行されたとき第２記録モードに従う処理を中断する中断ステップ、中断ステップの中断タイミングを特定できるタイミング情報を作成する作成ステップ、および第２記録モードに従う処理が中断ステップによって中断された状態で第１記録モードの停止指令が発行されたとき作成ステップによって作成されたタイミング情報に基づいて第２記録モードに従う処理を再開する再開ステップを備える。
【発明の効果】
【００１８】
この発明によれば、再取得が可能なコンテンツおよび再取得が不可能な別のコンテンツの両方を適切に記録できる。
【００１９】
この発明の上述の目的，その他の目的，特徴および利点は、図面を参照して行う以下の実施例の詳細な説明から一層明らかとなろう。
【発明を実施するための最良の形態】
【００２０】
図１を参照して、この実施例の記録装置１０は、アナログ受信機１２を含む。アナログ受信機１２は、アンテナ（図示せず）から高周波テレビジョン信号を受け、所望のチャネルのコンポジットビデオ信号を出力する。出力されたコンポジットビデオ信号は、ＮＴＳＣデコーダ１４に与えられる。ＮＴＳＣデコーダ１４は、与えられたコンポジットビデオ信号をデコードしてビデオデータを出力する。出力されたビデオデータは、ＭＰＥＧエンコーダ１６に与えられる。ＭＰＥＧエンコーダ１６は、与えられたビデオデータからＭＰＥＧ−ＰＳ（Program Stream）を生成し、生成したＭＰＥＧ−ＰＳをＭＰＥＧバッファ１８を介してＨＤ（Hard Disk）ドライブ２０およびＤＶＤ（Digital Versatile Disk）ドライブ２２のいずれか一方に与える。
【００２１】
ＨＤドライブ２０は、ＣＰＵ３４からの記録命令を受け、ＭＰＥＧ−ＰＳが格納された本画像ファイルをハードディスク２０ｄ上に生成する。ＤＶＤドライブ２２は、ＣＰＵ３４からの記録命令を受け、ＭＰＥＧ−ＰＳが格納された本画像ファイルをＤＶＤ２２ｄ上に生成する。なお、ＤＶＤ２２ｄへの記録はＤＶＤ−ＶＲフォーマット（図８参照：後述）で行い、ハードディスク２０ｄへの記録はその一部を変更したフォーマットで行うものとする。以下では、ハードディスク２０ｄまたはＤＶＤ２２ｄ上に生成された１つ１つの本画像ファイルに含まれるＭＰＥＧ−ＰＳを“プログラム”あるいは“コンテンツ”と適宜呼ぶ。
【００２２】
ＣＰＵ３４から所望のプログラムの再生命令が発行されると、ＨＤドライブ２０またはＤＶＤドライブ２２は、該当本画像ファイルからＭＰＥＧ−ＰＳを再生する。再生されたＭＰＥＧ−ＰＳは、ＭＰＥＧバッファ２４を介してＭＰＥＧデコーダ２６に与えられる。
【００２３】
ＭＰＥＧデコーダ２６は、与えられたビデオＰＥＳをデコードしてビデオデータを生成し、生成されたビデオデータをＮＴＳＣエンコーダ２８に与える。ＮＴＳＣエンコーダ２８は、与えられたビデオデータをコンポジットビデオ信号に変換し、変換されたコンポジットビデオ信号をテレビモニタ３０に出力する。この結果、所望のプログラムの再生映像がテレビモニタ３０に表示される。
【００２４】
なお、記録命令も再生命令も発行されていない状態では、ＭＰＥＧ−ＰＳをハードディスク２０ｄ上のテンポラリファイルに書き込み、かつテンポラリファイルからＭＰＥＧ−ＰＳを読み出す処理が行われる。こうしてテンポラリファイルから読み出されたＭＰＥＧ−ＰＳが再生され、この結果、アナログ受信機１２によって現時点で受信されているプログラムの再生映像が出力される。
【００２５】
ＣＰＵ３４から所望のプログラムのダビング命令が発行されると、ハードディスク２０ｄに記録された該当本画像ファイルの複製がＤＶＤ２２ｄ上に生成される。または、ＤＶＤ２２ｄに記録された該当本画像ファイルの複製がハードディスク２０ｄ上に生成される。
【００２６】
ＣＰＵ３４によって発行されるダビング命令には、高速ダビング命令および再エンコードダビング命令（以下“ＲＥダビング命令”）の２種類がある。高速ダビング命令に応答して行われる高速ダビング処理では、ハードディスク２０ｄおよびＤＶＤ２２ｄの一方に記録された本画像ファイル（以下“ダビング元ファイル”）に含まれるＭＰＥＧ−ＰＳが、フォーマットの一部変更を除いてそのまま、ハードディスク２０ｄおよびＤＶＤ２２ｄの他方に生成された複製ファイル（以下“ダビング先ファイル”）に転送される。
【００２７】
一方、ＲＥダビング命令に応答して行われるＲＥダビング処理では、ダビング元ファイルに含まれるＭＰＥＧ−ＰＳは、ＭＰＥＧデコーダ２６でいったんビデオデータにデコードされ、その後ＭＰＥＧエンコーダ１６で再びＭＰＥＧ−ＰＳにエンコードされる。再エンコードの際には、たとえば、ダビング先メディアの空き容量に応じて圧縮率が変更される。
【００２８】
ＲＥダビング処理の実行中に放送録画操作が行われると、ＣＰＵ３４は、ＲＥダビング処理を中断し、そして放送録画処理を開始する。ＲＥダビング処理を中断するとき、ＣＰＵ３４は、ダビング元リードポイントをフラッシュメモリ３６に保持する。ここでダビング元リードポイントは、ダビング元ファイルに含まれるＭＰＥＧ−ＰＳを読み出し済み部分と未読み出し部分とに区分する境界の位置を示す位置情報を意味する。なお、かかる位置情報としては、たとえば、ストリーム中に埋め込まれているタイムスタンプを用いることができる。
【００２９】
放送録画処理が完了すると、ＣＰＵ３４は、ＲＥダビング処理を再開する。このとき、ＣＰＵ３４は、ダビング元ファイルに含まれるＭＰＥＧ−ＰＳ上の読み出し開始位置を、フラッシュメモリ３６に保持された位置情報に対応する位置に設定する。これにより、ダビング元ファイルからは、ＭＰＥＧ−ＰＳの未読み出し部分が読み出される。
【００３０】
再開後にダビング元ファイルから読み出されたＭＰＥＧ−ＰＳつまり所望のプログラムの後半部分は、中断前に同じダビング元ファイルから読み出されたＭＰＥＧ−ＰＳつまり所望のプログラムの前半部分が転送されたものとは別の複製ファイルに転送される。こうして、所望のプログラムは、前半部分および後半部分の２つに分断された状態で、ダビング先メディアに記録されることとなる。
【００３１】
上記のような中断および再開を伴うＲＥダビング処理の具体例を、図２および図３により説明する。図２を参照して、ハードディスク２０ｄに記録されたダビング元プログラムＰＧ＃１に向けてダビング開始操作が行われると、ダビング元プログラムＰＧ＃１をＤＶＤ２２ｄにＲＥダビングする動作が開始される。かかるＲＥダビングの最中に、放送プログラムＰＧ＃２のＤＶＤ２２ｄへの記録を命じる放送記録開始操作が行われると、ＲＥダビングは中断され、そして放送プログラムＰＧ＃２をＤＶＤ２２ｄに記録する動作が開始される。
【００３２】
中断時点のダビング元リードポイントが矢印４０で示されている。ダビング元プログラムＰＧ＃１は、矢印４０の位置で前半部分および後半部分の２つに区分される。かかる矢印４０に対応する位置情報がフラッシュメモリ３６に保持される。
【００３３】
この後、放送記録停止操作が行われると、放送プログラムＰＧ＃２の記録は停止され、そしてダビング元リードポイント４０からＲＥダビングが再開される。この結果、ＤＶＤ２２ｄには、ダビング元プログラムＰＧ＃１の前半部分に対応する実データＭ＿ＶＯＢ＃１と、放送プログラムＰＧ＃２に対応する実データＭ＿ＶＯＢ＃２と、ダビング元プログラムＰＧ＃１の後半部分に対応する実データＭ＿ＶＯＢ ＃３とがこの順序で記録される。
【００３４】
実データＭ＿ＶＯＢ＃１には、セルＣｅｌｌ＃１およびプログラム情報ＰＧＩ＃１が割り当てられる。同様に、実データＭ＿ＶＯＢ＃２にはセルＣｅｌｌ＃２およびプログラム情報ＰＧＩ＃２が割り当てられ、実データＭ＿ＶＯＢ＃３にはセルＣｅｌｌ＃３およびプログラム情報ＰＧＩ＃３が割り当てられる。つまり、プログラム情報ＰＧＩ＃１〜ＰＧＩ＃３は、セルＣｅｌｌ＃１〜Ｃｅｌｌ＃３を介して、ＤＶＤ２２ｄ上の実データＭ＿ＶＯＢ＃１〜Ｍ＿ＶＯＢ＃３とそれぞれ関連付けられる。
【００３５】
この後、ダビング元プログラムＰＧ＃１に対応する２つのセルＣｅｌｌ＃１およびＣｅｌｌ＃３が、図３に示す要領で１つに結合される。すなわち、セルＣｅｌｌ＃３がセルＣｅｌｌ＃１の直後に移動され、セルＣｅｌｌ＃１の末尾がＣｅｌｌ＃３の先頭と連結される。そして、１つに結合されたＣｅｌｌ＃１およびセルＣｅｌｌ＃３に、プログラム情報ＰＧＩ＃１が割り当てられる。なお、プログラム情報ＰＧＩ＃３は破棄してよい。
【００３６】
これにより、プログラム情報ＰＧＩ＃１は、セルＣｅｌｌ＃１およびＣｅｌｌ＃３を介して実データＭ＿ＶＯＢ＃１およびＭ＿ＶＯＢ＃３と関連付けられる。この結果、プログラム情報ＰＧＩ＃１に向けて再生操作を行うことにより、分断記録された実データＭ＿ＶＯＢ＃１およびＭ＿ＶＯＢ＃３を一体的に再生することが可能となる。
【００３７】
一般化した処理を図４〜図６に示す。図４を参照して、ダビング元プログラムＰＧ＃１のＲＥダビング処理が、放送録画のためにｎ回（ｎは任意の自然数）中断されたとすると、ダビング元プログラムＰＧ＃１は、ｎ個の放送プログラムによって（ｎ＋１）個に分断された状態でダビング先メディアに記録される。つまりダビング先メディアには、実データＭ＿ＶＯＢ＃１〜Ｍ＿ＶＯＢ＃（２ｎ＋１）が記録される。なお、ｎ回の放送録画の中には、リアルタイムな記録操作に基づくものだけでなく、事前の予約に基づくものが含まれてよい。
【００３８】
実データＭ＿ＶＯＢ＃１にはセルＣｅｌｌ＃１およびプログラム情報ＰＧＩ＃１が割り当てられ、実データＭ＿ＶＯＢ＃２にはセルＣｅｌｌ＃２およびプログラム情報ＰＧＩ＃２が割り当てられ、…、実データＭ＿ＶＯＢ＃（２ｎ＋１）にはセルＣｅｌｌ＃（２ｎ＋１）およびプログラム情報ＰＧＩ＃（２ｎ＋１）が割り当てられる。
【００３９】
セルＣｅｌｌ＃１〜Ｃｅｌｌ＃（２ｎ＋１）のうち、ダビング元プログラムＰＧ＃１に対応するセルＣｅｌｌ＃１，Ｃｅｌｌ＃３，Ｃｅｌｌ＃５，…，およびＣｅｌｌ＃（２ｎ＋１）は、図５に示す要領で１つに結合される。そして、１つに結合されたセルＣｅｌｌ＃１，Ｃｅｌｌ＃３，Ｃｅｌｌ＃５，…，およびＣｅｌｌ＃（２ｎ＋１）にプログラム情報ＰＧＩ＃１を対応付ける（図６参照）。なお、プログラム情報ＰＧＩ＃３，ＰＧＩ＃５，…，およびＰＧＩ＃（２ｎ＋１）は破棄してよい。
【００４０】
これにより、図６に示すように、プログラム情報ＰＧＩ＃１は、セルＣｅｌｌ＃１，Ｃｅｌｌ＃３，…，およびＣｅｌｌ＃（２ｎ＋１）を介して、実データＭ＿ＶＯＢ＃１，Ｍ＿ＶＯＢ＃３，…，Ｍ＿ＶＯＢ＃（２ｎ＋１）と関連付けられる。この結果、プログラム情報ＰＧＩ＃１に向けて再生操作を行うことにより、分断記録されたＭ＿ＶＯＢ＃１，Ｍ＿ＶＯＢ＃３，…，Ｍ＿ＶＯＢ＃（２ｎ＋１）を一体的に再生することが可能となる。
【００４１】
ＣＰＵ３４の具体的な動作説明に先立って、ＤＶＤ−ＶＲフォーマットについて説明しておく。ＤＶＤ２２ｄ上の実データは、ＤＶＤ−ＶＲフォーマットに従う管理情報ファイルにより管理される。図８を参照して、管理情報ファイルは、プログラム情報（ＰＧＩ）の集合であるＰＧＣ（Program Chain）と、実データ情報（Ｍ＿ＶＯＢＩ）の集合であるＭ＿ＡＶＦＩとを含む。
【００４２】
ＤＶＤ２２ｄ上にプログラムＰＧ＃１〜ＰＧ＃ｎにそれぞれ対応する実データＭ＿ＶＯＢ＃１〜Ｍ＿ＶＯＢ＃ｎが記録されている場合、ＰＧＣは、ＰＧＣ＿ＧＩと、ＰＧＩ＃１〜ＰＧＩ＃ｎと、ＣＩ＿ＳＲＰ＃１〜ＣＩ＿ＳＲＰ＃ｎと、ＣＩ＃１〜ＣＩ＃ｎとを含む。
【００４３】
ＰＧＣ＿ＧＩは、ＰＧＣに含まれるプログラム情報の数を示すＰＧ＿Ｎｓと、同じくＰＧＣに含まれるセルの総数を示すＣＩ＿ＳＲＰ＿Ｎｓとを含む。ＰＧＩ＃１は、プログラムＰＧ＃１のタイプ（通常プログラムまたは保護プログラム）を示すＰＧ＿ＴＹと、プログラムＰＧ＃１を構成するセルの数Ｃ＿Ｎｓを含む。ＰＧＣ＃２〜ＰＧＣ＃ｎも同様の情報を含む。
【００４４】
ＣＩ＿ＳＲＰ＃１〜ＣＩ＿ＳＲＰ＃ｎは、ＣＩ＃１〜ＣＩ＃ｎの先頭アドレスをそれぞれ示す。ＣＩ＃１は、セルＣｅｌｌ＃１のタイプ（動画または静止画）と、セルＣｅｌｌ＃１が参照する実データ情報の番号Ｍ＿ＶＯＢＩ＿ＳＲＰＮとを持つ。ＣＩ＃２〜ＣＩ＃ｎも同様の情報を持つ。
【００４５】
一方、Ｍ＿ＡＶＦＩは、Ｍ＿ＡＶＦＩ＿ＧＩと、Ｍ＿ＶＯＢＩ＿ＳＲＰ＃１〜Ｍ＿ＶＯＢＩ＿ＳＲＰ＃ｎと、Ｍ＿ＶＯＢＩ＃１〜Ｍ＿ＶＯＢＩ＃ｎとを含む。Ｍ＿ＡＶＦＩ＿ＧＩは、Ｍ＿ＡＶＦＩに含まれる実データ情報の数を示すＭ＿ＶＯＢＩ＿ＳＲＰ＿Ｎｓを持つ。Ｍ＿ＶＯＢＩ＿ＳＲＰ＃１〜Ｍ＿ＶＯＢＩ＿ＳＲＰ＃ｎは、Ｍ＿ＶＯＢＩ＃１〜Ｍ＿ＶＯＢＩ＃ｎの先頭アドレスをそれぞれ示す。
【００４６】
Ｍ＿ＶＯＢＩ＃１は、Ｍ＿ＶＯＢ＿ＧＩおよびＴＭＡＰＩを持つ。Ｍ＿ＶＯＢＩ＃２〜Ｍ＿ＶＯＢＩ＃ｎも同様の情報をそれぞれ持つ。Ｍ＿ＶＯＢ＿ＧＩには、実データＭ＿ＶＯＢの録画時間，タイムスタンプなどの情報が含まれ、ＴＭＡＰＩには、実データＭ＿ＶＯＢのオフセット，サイズなどの情報が含まれる。
【００４７】
上記のように構成された管理情報ファイルは、図３に示すセル結合処理が行われたとき、図９および図１０に示す要領で更新される。図９が結合前を示し、図１０は結合後を示す。両図を比較しつつ参照して、セルＣｅｌｌ＃３がＣｅｌｌ＃１の直後に移動したため、ＣＩ＃２およびＣＩ＃３の内容が互いに入れ替わっている。また、１つに結合されたセルＣｅｌｌ＃１およびＣｅｌｌ＃３にプログラム情報ＰＧＩ＃１を割り当てたので、プログラム情報ＰＧＩ＃１に含まれるＣ＿Ｎｓが“１”から“２”に増え、ＰＧＣからプログラム情報ＰＧＩ＃３が削除されている。この結果、ＰＧＣに含まれるプログラム情報の数を示すＰＧ＿Ｎｓは“３”から“２”に減っている。
【００４８】
中断を伴うＲＥダビング処理を行うに当たり、ＣＰＵ３４は、μＩＴＲＯＮ等のマルチタスクＯＳの制御下で、図１１に示される放送記録タスク，および図１２および図１３に示されるＲＥダビングタスクを並列的に実行する。図７に示されるダビングプロセステーブルは、かかるタスクの実行時、ＣＰＵ３４によって参照される。なお、両タスクに対応するプログラムおよびダビングプロセステーブル（Ｔ）は、フラッシュメモリ３６に記憶される。
【００４９】
図７を参照して、ダビングプロセステーブルは、ダビング元メディアの種別を示すＳＲＣ＿ＭＥＤＩＡと、ダビング元プログラムの識別子を示すＳＲＣ＿ＩＤと、ＲＥダビング中断時のダビング元リードポイント（図２中の矢印４０に相当）を示すＳＲＣ＿ＰＯＳと、ダビング先メディアの種別を示すＤＳＴ＿ＭＥＤＩＡと、ダビング先プログラムの識別子を示すＤＳＴ＿ＩＤと、ダビング中断回数を示すＤＳＴ＿ＩＮＴＲ＿ＮＵＭとの計６つのパラメータを含む。
【００５０】
図１１を参照して、まずステップＳ１で記録フラグＲｅｃ＿Ｆに“０”をセットし、ステップＳ３で記録開始命令を待つ。操作パネル３２を通して記録開始命令を受け付けると、ステップＳ５に移って、ＲＥダビングフラグＲＥ＿Ｄｕｂ＿Ｆが“１”であるか否かを判別する。この判別結果が肯定的であれば、ステップＳ７でダビング中断命令を発行し、そしてステップＳ９でＲＥダビングフラグＲＥ＿Ｄｕｂ＿Ｆが“２”に変わるのを待つ。ＲＥ＿Ｄｕｂ＿Ｆ＝２となると、ステップＳ１１に進む。
【００５１】
ステップＳ５の判別結果が否定的であれば、ステップＳ７およびＳ９をスキップしてステップＳ１１に進む。ステップＳ１１では、放送記録開始処理（後述）を実行する。処理を終えると、ステップＳ１３で記録フラグＲｅｃ＿Ｆに“１”をセットし、そしてステップＳ１５で記録停止命令または記録完了通知を待つ。操作パネル３２を通して記録停止命令を受け付けるか、ＨＤドライブ２０またはＤＶＤドライブ２２から記録完了通知を受け取ると、ステップＳ１７に移って放送記録停止処理（後述）を実行する。処理を終えると、ステップＳ１９でＲＥダビングフラグＲＥ＿Ｄｕｂ＿Ｆが“２”であるか否かを判別し、判別結果が肯定的であれば、ステップＳ２１でＲＥダビング再開命令を発行し、そしてステップＳ１に戻る。ステップＳ１９の判別結果が否定的であれば、直ちにステップＳ１に戻る。
【００５２】
図１２を参照して、まずステップＳ３１でＲＥダビングフラグＲＥ＿Ｄｕｂ＿Ｆに“０”をセットし、次のステップＳ３３でダビングプロセステーブル（図７参照）をクリアし、その後ステップＳ３５でＲＥダビング開始命令を待つ。操作パネル３２を通してＲＥダビング開始命令を受け付けると、ステップＳ３７に移って、記録フラグＲｅｃ＿Ｆが“０”であるか否かを判別する。この判別結果が否定的であれば、ステップＳ３９でエラー処理を実行し、そしてステップＳ３５に戻る。
【００５３】
ステップＳ３７の判別結果が肯定的であれば、ステップＳ４１でＲＥダビング開始処理（後述）を実行する。処理を終えると、ステップＳ４３でＲＥダビングフラグＲＥ＿Ｄｕｂ＿Ｆに“１”をセットし、そしてステップＳ４５およびＳ４７のループに入る。ステップＳ４５では、ＲＥダビング停止命令またはＲＥダビング完了通知の有無を判別する。ステップＳ４７では、ＲＥダビング中断命令の有無を判別する。
【００５４】
操作パネル３２を通してＲＥダビング停止命令を受け付けるか、ＨＤドライブ２０またはＤＶＤドライブ２２からＲＥダビング完了通知を受け取ると、ステップＳ４５でＹＥＳと判別され、ステップＳ４９に移る。ステップＳ４９では、ＲＥダビング停止処理（後述）を実行する。放送記録タスク（図１１参照）によってＲＥダビング中断命令が発行されると、ステップＳ４７でＹＥＳと判別され、ステップＳ５１に移る。ステップＳ５１では、ＲＥダビング中断処理（後述）を実行する。処理を終えると、ステップＳ５３でＲＥダビングフラグＲＥ＿Ｄｕｂ＿Ｆに“２”をセットし、そしてステップＳ５５に移る。
【００５５】
図１３を参照して、ステップＳ５５では、ＲＥダビング再開命令の有無を判別する。放送記録タスクによってＲＥダビング再開命令が発行されると、ステップＳ５５でＹＥＳと判別され、ステップＳ５７に移る。ステップＳ５７では、ＲＥダビング再開処理（後述）を実行する。処理を終えると、ステップＳ５９でＲＥダビングフラグＲＥ＿Ｄｕｂ＿Ｆに“１”をセットし、そしてステップＳ６１およびＳ６３のループに入る。ステップＳ６１では、ＲＥダビング停止命令またはＲＥダビング完了通知の有無を判別する。ステップＳ６３では、ＲＥダビング中断命令の有無を判別する。
【００５６】
ＲＥダビング停止命令を受け付けるか、ＲＥダビング完了通知を受け取ると、ステップＳ６５に移ってＲＥダビング停止処理（後述）を実行する。処理を終えると、ステップＳ３１に戻る。ＲＥダビング中断命令が発行されると、ステップＳ６７に移ってＲＥダビング中断処理（後述）を実行する。処理を終えると、ステップＳ６９でＲＥダビングフラグＲＥ＿Ｄｕｂ＿Ｆに“２”をセットし、そしてステップＳ５５に戻る。
【００５７】
上記ステップＳ１１の放送開始処理は、詳しくは図１４のサブルーチンに従って実行される。図１４を参照して、まずステップＳ８１でスイッチＳＷ１をＮＴＳＣデコーダ１４側に設定し、ステップＳ８３では、記録先がハードディスク２０ｄか否かを判別する。この判別結果が肯定的であれば、ステップＳ８５でスイッチＳＷ２をＨＤドライブ２０側に設定し、そしてステップＳ８７でＨＤ記録開始処理（後述）を実行する。処理を終えると、上位層のルーチンに復帰する。
【００５８】
ステップＳ８３の判別結果が否定的つまり記録先がＤＶＤ２２ｄであれば、ステップＳ８９でスイッチＳＷ２をＤＶＤドライブ２２側に設定し、そしてステップＳ９１でＤＶＤ記録開始処理（後述）を実行する。処理を終えると、上位層のルーチンに復帰する。
【００５９】
上記ステップＳ１７の放送記録停止処理は、詳しくは図１５のサブルーチンに従って実行される。図１５を参照して、まずステップＳ１０１で記録先がハードディスク２０ｄか否かを判別し、この判別結果が肯定的であれば、ステップＳ１０３でＨＤ記録停止処理（後述）を実行する。処理を終えると、上位層のルーチンに復帰する。ステップＳ１０１の判別結果が否定的であれば、ステップＳ１０５でＤＶＤ記録停止処理（後述）を実行し、そして上位層のルーチンに復帰する。
【００６０】
上記ステップＳ４１のＲＥダビング開始処理は、詳しくは図１６のサブルーチンに従って実行される。図１６を参照して、まずステップＳ１１１でスイッチＳＷ１をＭＰＥＧデコーダ２６側に設定し、次のステップＳ１１３ではダビングの向きを判別する。ハードディスク２０ｄからＤＶＤ２２ｄへのダビングであれば、ステップＳ１１５〜Ｓ１２３を経てステップＳ１３５に進む。ＤＶＤ２２ｄからハードディスク２０ｄへのダビングであれば、ステップＳ１２５〜Ｓ１３３を経てステップＳ１３５に進む。
【００６１】
ステップＳ１１５では、スイッチＳＷ２をＤＶＤドライブ２２側に設定し、かつスイッチＳＷ３をＨＤドライブ２０側に設定する。ステップＳ１１７ではＨＤ再生開始処理（後述）を実行し、ステップＳ１１９ではＤＶＤ記録開始処理（後述）を実行する。ステップＳ１２１ではＳＲＣ＿ＭＥＤＩＡに“ＨＤ”をセットし、ステップＳ１２３ではＤＳＴ＿ＭＥＤＩＡに“ＤＶＤ”をセットする。
【００６２】
ステップＳ１２５では、スイッチＳＷ２をＨＤドライブ２０側に設定し、かつスイッチＳＷ３をＤＶＤドライブ２２側に設定する。ステップＳ１２７ではＤＶＤ再生開始処理（後述）を実行し、ステップＳ１２９ではＨＤ記録開始処理（後述）を実行する。ステップＳ１３１ではＳＲＣ＿ＭＥＤＩＡに“ＤＶＤ”をセットし、ステップＳ１３３ではＤＳＴ＿ＭＥＤＩＡに“ＨＤ”をセットする。
【００６３】
ステップＳ１３５では、ＳＲＣ＿ＩＤにダビング元プログラムの識別子をセットし、かつＤＳＴ＿ＩＤにダビング先プログラムの識別子をセットする。その後、上位層のルーチンに復帰する。
【００６４】
上記ステップＳ４９のＲＥダビング停止処理は、詳しくは図１７のサブルーチンに従って実行される。なお、ステップＳ６５も同様に実行される。図１７を参照して、まずステップＳ１４１でダビングの向きを判別する。ハードディスク２０ｄからＤＶＤ２２ｄへのダビングであれば、ステップＳ１４３でＤＶＤ記録停止処理（後述）を実行し、ステップＳ１４５でＨＤ再生停止処理（後述）を実行し、そしてステップＳ１５１に進む。ＤＶＤ２２ｄからハードディスク２０ｄへのダビングであれば、ステップＳ１４７でＨＤ記録停止処理（後述）を実行し、ステップＳ１４９でＤＶＤ再生停止処理（後述）を実行し、そしてステップＳ１５１に進む。
【００６５】
ステップＳ１５１では、ＤＳＴ＿ＩＮＴＲ＿ＮＵＭが“０”より大か否かを判別し、この判別結果が肯定的であれば、ステップＳ１５３でセル結合処理（後述）を実行し、そして上位層のルーチンに復帰する。ステップＳ１５１の判別結果が否定的であれば、ステップＳ１５３をスキップし、直ちに上位層のルーチンに復帰する。
【００６６】
上記ステップＳ５１のＲＥダビング中断処理は、詳しくは図１８のサブルーチンに従って実行される。なお、ステップＳ６７も同様に実行される。図１８を参照して、まずステップＳ１６１でダビングの向きを判別する。ハードディスク２０ｄからＤＶＤ２２ｄへのダビングであれば、ステップＳ１６３でＤＶＤ記録停止処理（後述）を実行し、ステップＳ１６５でＨＤ再生停止処理（後述）を実行し、そしてステップＳ１７１に進む。ＤＶＤ２２ｄからハードディスク２０ｄへのダビングであれば、ステップＳ１６７でＨＤ記録停止処理（後述）を実行し、ステップＳ１６９でＤＶＤ再生停止処理（後述）を実行し、そしてステップＳ１７１に進む。
【００６７】
ステップＳ１７１では、ＤＳＴ＿ＩＮＴＲ＿ＮＵＭをインクリメントする。次のステップＳ１７３では、ＳＲＣ＿ＰＯＳに現時点でのダビング元リードポイントをセットし、その後、上位層のルーチンに復帰する。
【００６８】
上記ステップＳ５７のＲＥダビング再開処理は、詳しくは図１９のサブルーチンに従って実行される。図１９を参照して、まずステップＳ１８１でスイッチＳＷ１をＭＰＥＧデコーダ２６側に設定し、次のステップＳ１８３ではダビングの向きを判別する。ハードディスク２０ｄからＤＶＤ２２ｄへのダビングであればステップＳ１８５〜Ｓ１９１を実行し、ＤＶＤ２２ｄからハードディスク２０ｄへのダビングであればステップＳ１９３〜Ｓ１９９を実行する。
【００６９】
ステップＳ１８５では、スイッチＳＷ２をＤＶＤドライブ２２側に設定し、かつスイッチＳＷ３をＨＤドライブ２０側に設定する。ステップＳ１８７では、ダビング再開時点のダビング元リードポイントにＳＲＣ＿ＰＯＳをセットする。ステップＳ１８９ではＨＤ再生開始処理（後述）を実行し、ステップＳ１９１ではＤＶＤ記録開始処理（後述）を実行する。これらの処理を終えると、上位層のルーチンに復帰する。
【００７０】
ステップＳ１９３では、スイッチＳＷ２をＨＤドライブ２０側に設定し、かつスイッチＳＷ３をＤＶＤドライブ２２側に設定する。ステップＳ１９５では、ダビング再開時点のダビング元リードポイントにＳＲＣ＿ＰＯＳをセットする。ステップＳ１９７ではＤＶＤ再生開始処理（後述）を実行し、ステップＳ１９９ではＨＤ記録開始処理（後述）を実行する。これらの処理を終えると、上位層のルーチンに復帰する。
【００７１】
上記ステップＳ８７のＨＤ記録開始処理は、詳しくは図２０のサブルーチンに従って実行される。なお、ステップＳ１２９およびＳ１９９も同様に実行される。図２０を参照して、まずステップＳ２０１で、対象ＭＰＥＧファイルをオープンし、次のステップＳ２０３では、ＭＰＥＧエンコーダ１６をスタートさせる。その後、上位層のルーチンに復帰する。
【００７２】
上記ステップＳ１０３のＨＤ記録停止処理は、詳しくは図２１のサブルーチンに従って実行される。なお、ステップＳ１４７およびＳ１６７も同様に実行される。図２１を参照して、まずステップＳ２１１で対象ＭＰＥＧファイルをクローズし、次のステップＳ２１３ではＭＰＥＧエンコーダ１６をストップさせる。その後、ステップＳ２１５で管理情報を更新し、ステップＳ２１７で管理情報ファイルをハードディスク２０ｄに記録し、そして上位層のルーチンに復帰する。
【００７３】
上記ステップＳ９１のＤＶＤ記録開始処理は、詳しくは図２２のサブルーチンに従って実行される。なお、ステップＳ１１９およびＳ１９１も同様に実行される。図２２を参照して、まずステップＳ２２１で、対象ＶＲ＿ＭＯＶＩＥ．ＶＲＯファイルをオープンし、次のステップＳ２２３では、ＭＰＥＧエンコーダ１６をスタートさせる。その後、上位層のルーチンに復帰する。
【００７４】
上記ステップＳ１０５のＤＶＤ記録停止処理は、詳しくは図２３のサブルーチンに従って実行される。なお、ステップＳ１４３およびＳ１６３も同様に実行される。図２３を参照して、まずステップＳ２３１で対象ＶＲ＿ＭＯＶＩＥ．ＶＲＯファイルをクローズし、ステップＳ２３３ではＭＰＥＧエンコーダ１６をストップさせる。その後、ステップＳ２３５で管理情報を更新し、ステップＳ２３７で管理情報ファイルをＤＶＤ２２ｄに記録し、そして上位層のルーチンに復帰する。
【００７５】
上記ステップＳ１１７のＨＤ再生開始処理は、詳しくは図２４のサブルーチンに従って実行される。なお、ステップＳ１８９も同様に実行される。図２４を参照して、まずステップＳ２４１で、対象ＭＰＥＧファイルをオープンし、次のステップＳ２４３では、ＭＰＥＧデコーダ２６をスタートさせる。その後、上位層のルーチンに復帰する。
【００７６】
上記ステップＳ１４５のＨＤ再生停止処理は、詳しくは図２５のサブルーチンに従って実行される。なお、ステップＳ１６５も同様に実行される。図２５を参照して、まずステップＳ２５１で対象ＭＰＥＧファイルをクローズし、次のステップＳ２５３ではＭＰＥＧデコーダ２６をストップさせる。その後、上位層のルーチンに復帰する。
【００７７】
上記ステップＳ１２７のＤＶＤ再生開始処理は、詳しくは図２６のサブルーチンに従って実行される。なお、ステップＳ１９７も同様に実行される。図２６を参照して、まずステップＳ２６１で、対象ＶＲ＿ＭＯＶＩＥ．ＶＲＯファイルをオープンし、次のステップＳ２６３では、ＭＰＥＧデコーダ２６をスタートさせる。その後、上位層のルーチンに復帰する。
【００７８】
上記ステップＳ１４９のＨＤ再生停止処理は、詳しくは図２７のサブルーチンに従って実行される。なお、ステップＳ１６９も同様に実行される。図２７を参照して、まずステップＳ２７１で対象ＶＲ＿ＭＯＶＩＥ．ＶＲＯファイルをクローズし、次のステップＳ２７３ではＭＰＥＧデコーダ２６をストップさせる。その後、上位層のルーチンに復帰する。
【００７９】
上記ステップＳ１５３のセル結合処理は、詳しくは図２８のサブルーチンに従って実行される。まずステップＳ２８１で変数ｉに“１”をセットし、次のステップＳ２８３で変数ｉがＤＳＴ＿ＩＮＴＲ＿ＮＵＭ以下であるか否かを判別する。この判別結果が否定的であれば上位層のルーチンに復帰し、肯定的であればステップＳ２８５〜Ｓ２９３を実行する。
【００８０】
まずステップＳ２８５で、（ＤＳＴ＿ＩＤ＋ｉ＊２）番目のセルを（ＤＳＴ＿ＩＤ＋ｉ−１）番目のセルの直後に移動する（図５参照）。続くステップＳ２８７〜Ｓ２９１では、管理情報を更新する（図９および図１０参照）。具体的には、ステップＳ２８７でＤＳＴ＿ＩＤ番目のプログラム情報ＰＧＩのＣ＿Ｎｓをカウントアップし、ステップＳ２８９でＳＲＣ＿ＩＤ番目のプログラム情報ＰＧＩを削除し、そしてステップＳ２９１でＰＧＣ＿ＧＩのＰＧ＿Ｎｓをカウントダウンする。管理情報の更新が完了すると、ステップＳ２９３で変数ｉをインクリメントし、そしてステップＳ２８３に戻る。
【００８１】
以上のように、この実施例では、ＣＰＵ３４は、ＲＥダビング処理の途中で放送記録開始命令が発行されたとき、図２に示すように、ＲＥダビング処理を中断し、中断タイミングを特定できるタイミング情報（矢印４０）をフラッシュメモリ３６に保持し、そして放送記録処理を開始する。この後、つまりＲＥダビング処理が中断された状態で放送記録停止命令が発行されたとき、ＣＰＵ３４は、フラッシュメモリ３６内に保持されたタイミング情報に基づいてＲＥダビング処理を再開する。これにより、再取得が可能なダビング元コンテンツおよび再取得が不可能な放送コンテンツの両方を適切に記録できる。
【００８２】
また、このようなＲＥダビング処理の中断および再開の結果、図２および図４に示すように、ダビング先メディア上に複数のデータブロック（実データＭ＿ＶＯＢ＃１，Ｍ＿ＶＯＢ＃２，…）が形成される。ＣＰＵ３４は、かかる複数のデータブロックにそれぞれ対応する複数の再生単位情報ブロック（セルＣｅｌｌ＃１，Ｃｅｌｌ＃２，…）を生成し、生成された複数の再生単位情報ブロックのうちダビング元プログラム（プログラムＰＧ＃１）に対応するもの（セルＣｅｌｌ＃１，Ｃｅｌｌ＃３，…）を互いに関連付ける。これにより、ダビング先メディア上に分断状態で記録されたダビング元プログラムを一体的に再生することが可能となる。
【００８３】
関連付けは、具体的には図３，図５および図６に示す要領で行う。すなわち、ダビング元プログラムに対応する再生単位情報ブロック（セルＣｅｌｌ＃１，Ｃｅｌｌ＃３，…）を１つに結合し、１つに結合された再生単位情報ブロックに１つの識別情報（プログラム情報ＰＧＩ＃１）を割り当てる。かかる識別情報に向けて再生操作が行われると、１つに結合された再生単位情報ブロックに基づいて、ダビング先メディア上に分断状態で記録されたダビング元プログラムを一体的に再生することができる。
【００８４】
なお、この実施例の記録装置１０は、ハードディスク２０ｄおよびＤＶＤ２２ｄの間でダビングを行っているが、この発明は、たとえば２つの異なるハードディスク間でダビング処理を行う機能を備えた処理装置や、ハードディスクと半導体メモリとの間でダビング処理を行う機能を備えた処理装置などにも適用できる。要するに、複数の記録媒体の間でダビング処理を行う機能を持った全ての処理装置への適用が可能である。
【図面の簡単な説明】
【００８５】
【図１】この実施例の記録装置の構成を示すブロック図である。
【図２】１回の中断を伴う再エンコード（ＲＥ）ダビング処理の一部を示す図解図である。
【図３】１回の中断を伴うＲＥダビング処理の他の一部を示す図解図である。
【図４】ｎ回の中断を伴うＲＥダビング処理の一部を示す図解図である。
【図５】ｎ回の中断を伴うＲＥダビング処理の他の一部を示す図解図である。
【図６】ｎ回の中断を伴うＲＥダビング処理のその他の一部を示す図解図である。
【図７】ＲＥダビング処理の実行時ＣＰＵによって参照されるダビングプロセステーブルを示す図解図である。
【図８】ＤＶＤ−ＶＲフォーマットに従う管理情報の構造を示す図解図である。
【図９】図８管理情報の具体例を示す図解図である。
【図１０】更新後の図９管理情報を示す図解図である。
【図１１】ＣＰＵ動作の一部を示すフロー図である。
【図１２】ＣＰＵ動作の他の一部を示すフロー図である。
【図１３】ＣＰＵ動作のその他の一部を示すフロー図である。
【図１４】ＣＰＵ動作のさらにその他の一部を示すフロー図である。
【図１５】ＣＰＵ動作の他の一部を示すフロー図である。
【図１６】ＣＰＵ動作のその他の一部を示すフロー図である。
【図１７】ＣＰＵ動作のさらにその他の一部を示すフロー図である。
【図１８】ＣＰＵ動作の他の一部を示すフロー図である。
【図１９】ＣＰＵ動作のその他の一部を示すフロー図である。
【図２０】ＣＰＵ動作のさらにその他の一部を示すフロー図である。
【図２１】ＣＰＵ動作の他の一部を示すフロー図である。
【図２２】ＣＰＵ動作のその他の一部を示すフロー図である。
【図２３】ＣＰＵ動作のさらにその他の一部を示すフロー図である。
【図２４】ＣＰＵ動作の他の一部を示すフロー図である。
【図２５】ＣＰＵ動作のその他の一部を示すフロー図である。
【図２６】ＣＰＵ動作のさらにその他の一部を示すフロー図である。
【図２７】ＣＰＵ動作の他の一部を示すフロー図である。
【図２８】ＣＰＵ動作のその他の一部を示すフロー図である。
【符号の説明】
【００８６】
１０…記録装置
１２…アナログ受信機
１６…ＭＰＥＧエンコーダ
２０…ハードディスク（ＨＤ）ドライブ
２０ｄ…ハードディスク
２２…ＤＶＤドライブ
２２ｄ…ＤＶＤ
２６…ＭＰＥＧデコーダ
３４…ＣＰＵ
ＳＷ１〜ＳＷ３…スイッチ
【図１】
2006202357.tif 000003
【図２】
2006202357.tif 000004
【図３】
2006202357.tif 000005
【図４】
2006202357.tif 000006
【図５】
2006202357.tif 000007
【図６】
2006202357.tif 000008
【図７】
2006202357.tif 000009
【図８】
2006202357.tif 000010
【図９】
2006202357.tif 000011
【図１０】
2006202357.tif 000012
【図１１】
2006202357.tif 000013
【図１２】
2006202357.tif 000014
【図１３】
2006202357.tif 000015
【図１４】
2006202357.tif 000016
【図１５】
2006202357.tif 000017
【図１６】
2006202357.tif 000018
【図１７】
2006202357.tif 000019
【図１８】
2006202357.tif 000020
【図１９】
2006202357.tif 000021
【図２０】
2006202357.tif 000022
【図２１】
2006202357.tif 000023
【図２２】
2006202357.tif 000024
【図２３】
2006202357.tif 000025
【図２４】
2006202357.tif 000026
【図２５】
2006202357.tif 000027
【図２６】
2006202357.tif 000028
【図２７】
2006202357.tif 000029
【図２８】
2006202357.tif 000030